(57)【特許請求の範囲】
【請求項１】
基地局が、制限状態にある端末から受信された緊急呼出要求メッセージによって、緊急呼出を支援するＰＬＭＮの情報をＲＲＣ接続確立メッセージを介して前記端末に送信することと、
前記端末が、前記情報に応じて前記緊急呼出を支援するＰＬＭＮから１つのＰＬＭＮを選択することと、
前記端末が、選択されたＰＬＭＮとのアタッチメントを確立することと、
を含むことを特徴とする発展型パケットシステムの緊急呼出のアタッチメント処理方法。
【請求項２】
基地局が、制限状態にある端末から受信された緊急呼出要求メッセージによって、緊急呼出を支援するＰＬＭＮの情報をＲＲＣ接続確立メッセージを介して前記端末に送信することは、
前記基地局が、緊急呼出を支援するＰＬＭＮのインデックス番号をＲＲＣ接続確立メッセージを介して前記端末に送信することを含むことを特徴とする請求項１に記載の方法。
【請求項３】
前記端末が、前記情報に応じて前記緊急呼出を支援するＰＬＭＮから１つのＰＬＭＮを選択することは、
前記端末が、受信されたＲＲＣ接続確立メッセージから前記インデックス番号を解析することと、
前記端末が、前記インデックス番号をＰＬＭＮ  ＩＤに転換することと、
前記端末が、転換して得られたＰＬＭＮ  ＩＤに標識されたＰＬＭＮから１つのＰＬＭＮを選択することと、
を含むことを特徴とする請求項２に記載の方法。
【請求項４】
前記端末が、前記情報を用いて、選択されたＰＬＭＮとのアタッチメントを確立することは、
前記端末が、選択されたＰＬＭＮのＮＡＳメッセージを載せたＰＬＭＮ  ＩＤをＲＲＣ接続完成メッセージを介して前記基地局に送信することと、
前記基地局が、ＮＡＳメッセージを前記選択されたＰＬＭＮのＭＭＥに送信することと、
前記端末が、前記選択されたＰＬＭＮのＰＬＭＮ  ＩＤを用いてルートキーを生成してから、その生成されたルートキーを用いて前記ＭＭＥに対して認証・キー一致性検証を行なってアタッチメントを完成することと
を含むことを特徴とする請求項３に記載の方法。
【請求項５】
制限状態にある端末から受信された緊急呼出要求メッセージによって、緊急呼出を支援するＰＬＭＮの情報をＲＲＣ接続確立メッセージを介して前記端末に送信することに用いる基地局と、
前記情報に応じて前記緊急呼出を支援するＰＬＭＮから１つのＰＬＭＮを選択し、且つその選択されたＰＬＭＮとのアタッチメントを確立することに用いる前記端末と
を含むことを特徴とする発展型パケットシステム。
【請求項６】
前記基地局は、緊急呼出を支援するＰＬＭＮのインデックス番号をＲＲＣ接続確立メッセージを介して前記端末に送信し、且つ前記端末からのＲＲＣ接続完成メッセージにおけるＮＡＳメッセージを前記端末が選択した前記ＲＲＣ接続完成メッセージにおけるＰＬＭＮのＭＭＥに送信することに用いる第１の送信モジュールを含み、
前記端末は、受信されたＲＲＣ接続確立メッセージから前記インデックス番号を解析し、且つ前記インデックス番号をＰＬＭＮ  ＩＤに転換するための解析モジュールと、転換して得られたＰＬＭＮ  ＩＤに標識されたＰＬＭＮから１つのＰＬＭＮを選択するための選択モジュールと、選択されたＰＬＭＮのＮＡＳメッセージがのせられたＰＬＭＮ  ＩＤをＲＲＣ接続完成メッセージを介して前記基地局に送信するための第２の送信モジュールと、前記選択されたＰＬＭＮのＰＬＭＮ  ＩＤを用いてルートキーを生成して、その生成されたルートキーを用いて前記ＭＭＥに対して認証・キー一致性検証を行なってアタッチメントを完成するための実行モジュールとを含むことを特徴とする請求項５に記載のシステム。
【発明の詳細な説明】
【技術分野】
【０００１】
本発明は、通信分野に係り、具体的には、発展型パケットシステム及びその緊急呼出のアタッチメントア処理方法に関する。
【背景技術】
【０００２】
ＩＰマルチメディアサブシステム（ＩＰ  Ｍｕｌｔｉｍｅｄｉａ  Ｃｏｒｅ  Ｎｅｔｗｏｒｋ  Ｓｕｂｓｙｓｔｅｍ，ＩＭＳ）は、新世代通信ネットワークの核心であり、セション開始プロトコル（Ｓｅｓｓｉｏｎ  Ｉｎｉｔｉａｔｉｏｎ  Ｐｒｏｔｏｃｏｌ，ＳＩＰ）システムを用いた。ＳＩＰは、アクセスと関係なく、且つメディアサービス制御機能とベアリングの分離、呼出とセションの分離、アプリケーションとサービスの分離、サービスとネットワークの分離、及び移動ネットワークとインターネットサービスの融合などの多種類の能力を有する。
【０００３】
ＩＭＳはアクセスと関係ないので、ＩＭＳの緊急サービス（Ｅｍｅｒｇｅｎｃｙ  Ｃａｌｌ，ＥＭＣ）がシステム長期発展型（Ｓｙｓｔｅｍ  Ａｒｃｈｉｔｅｃｔｕｒｅ  Ｅｖｏｌｕｔｉｏｎ，ＳＡＥ）ネットワークに確立できる。ここで、ＳＡＥはＥＰＳ（Ｅｖｏｌｖｅｄ  Ｐａｃｋｅｔ  Ｓｙｓｔｅｍ，発展型パケットシステム）とも称する。
【０００４】
図１は関連技術によるＥＰＳアクセスＩＭＳの構造図であり、同図に示すよう、ＵＥ（Ｕｓｅｒ  Ｅqｕｉpｍｅｎｔ，ユーザ設備）がＳＡＥを介してＩＭＳにアクセスする緊急呼出に係る主なネットワーク要素は、ＳＡＥネットワーク部のネットワーク要素及びＩＭＳ緊急サービス部のネットワーク要素を含む。
【０００５】
ここで、ＳＡＥネットワークのネットワーク要素は底層のベアリング管理及び移動性管理を提供することに用いられる。ＳＡＥネットワークのネットワーク要素は、強化した無線基地局（ｅＮｏｄｅＢ）、移動性管理実体（Ｍｏｂｉｌｉｔｙ  Ｍａｎａｇｅｍｅｎｔ
Ｅｎｔｉｔｙ，ＭＭＥ）、及びユーザインターフェイスデータルート処理ネットワーク要
素（ＳＡＥ  ＧＷ）を含む。ＳＡＥ  ＧＷは、パケットデータネットワークゲートウェイ
（Ｐａｃｋｅｔ  Ｄａｔａ  Ｎｅｔｗｏｒｋ  Ｇａｔｅｗａｙ，Ｐ−ＧＷ）及びサービス
ゲートウェイ（Ｓｅｒｖｉｎｇ  ＧＷ，Ｓ−ＧＷ）を含む。ＰＣＲＦ（Ｐｏｌｉｃｙ  ａ
ｎｄ  Ｃｈａｒｇｉｎｇ  Ｒｕｌｅｓ  Ｆｕｎｃｔｉｏｎ，ポリシー及び課金ルール機能
）はＰＣＣ構造の重要な機能実体であり、インターネットプロトコル−接続アクセスネッ
トワーク（ＩＰ−Ｃｏｎｎｅｃｔｉｖｉｔｙ  Ａｃｃｅｓｓ  Ｎｅｔｗｏｒｋ，ＩＰ−Ｃ
ＡＮ）ポリシーと課金ルールの獲得、取り付け及び送りなどを制御することに用いる。こ
こで、ＩＰ−ＣＡＮはＥＰＳにおける設備とインターフェースの集合であってもよい。Ｍ
ＭＥはＵＥのコンテキスト（例えば、ＵＥ識別子／ユーザ識別子、移動性管理状態、ユー
ザ安全パラメーターなど）を管理して保存し、ユーザに臨時識別子を割当て、ＵＥがトラ
ック領域又はネットワークに位置する場合に、ＵＥに対して認証を行う。ＨＳＳ（Ｈｏｍ
ｅ  Ｓｕｂｓｃｒｉｂｅｒ  Ｓｅｒｖｅｒ，帰属ユーザサーバー）はユーザデータを保存
することに用いる。Ｐ−ＧＷはＳＡＥシステム内の移動アンカーポイントであり、ＳＡＥ
とパケットデータネットワーク（Ｐａｃｋｅｔ  Ｄａｔａ  Ｎｅｔｗｏｒｋ，ＰＤＮ）の
境界ゲートウェイであり、ＰＤＮのアクセス、ＳＡＥとＰＤＮとの間でデータの転送など
の機能を有する。
【０００６】
図２は関連技術によるＵＥにおけるアクセス層と非アクセス層の模式図である。端末の通信プロトコルスタックは、非アクセス層（Ｎｏｎ  Ａｃｃｅｓｓ  Ｓｔｒａｔｕｍ，ＮＡＳ層）プロトコルプロセッサーとアクセス層（Ａｃｃｅｓｓ  Ｓｔｒａｔｕｍ，ＡＳ層）プロトコルプロセッサーという２つの部分から構成されている。非アクセス層プロトコルプロセッサーは、非アクセス層キーの算出機能を含む非アクセス層安全プロトコル処理機能を含む。アクセス層プロトコルプロセッサーは、１つの無線リソース接続制御器を有し、アクセス層ＲＲＣ（Ｒａｄｉｏ  Ｒｅｓｏｕｒｃｅ  Ｃｏｎｔｒｏｌ，無線リソース制御）接続の確立、変更、解放及び再確立などの機能を有する。
【０００７】
図３は関連技術による端末と基地局／移動性管理実体のインタラクション模式図である。ＵＥとＭＭＥとの間のＮＡＳインタラクションは、ＵＥと基地局との間の無線接続及び基地局とＭＭＥとの間のＳ１インターフェースを介して行われる。端末と基地局は無線インターフェースを介して通信を行い、基地局は、ネットワーク内のインターフェースを介して移動性実体（ＭＭＥ）と通信を行う。一般的には、端末と基地局との間の通信プロトコルはアクセス層プロトコルであるが、端末とＭＭＥとの間の通信プロトコルは非アクセス層プロトコルである。非アクセス層プロトコルに関する非アクセス層メッセージが基地局をルーティングして、基地局にとっては透明なものである。
【０００８】
ｅＮｏｄｅＢはシステムメッセージにおいて現在のセルが制限サービス状態にある端末の緊急呼出を支援するか否かを放送する。同時に、具体的なセル又は基地局が異なる事業者の間で共有でき、端末がシステムメッセージで放送されたＰＬＭＮ識別子リストからネットワークを共有する事業者を識別できる。但し、緊急呼出を支援するか否かに関する情報は１ビット（ｂｉｔ）のみを有するので、どのＰＬＭＮが緊急呼出を支援かを示すことができない。このビットの設置規則はいずれか１つのＰＬＭＮが支援すると、システムメッセージにおいて該セルが緊急呼出を支援する旨を放送する。
【０００９】
端末が制限サービス状態にあるが、緊急呼出を開始させる場合に、更に非アクセス層シグナルとアクセス層シグナルを伝送するように、端末と基地局との間にはまずＲＲＣ接続を確立する必要がある。ＲＲＣ接続要求メッセージには、主にＵＥの識別子と呼出を開始させる原因という２つの内容がある。緊急呼出を開始させる場合に、端末が制限サービス状態にあると、該ＵＥの識別子がＳ−ＴＭＳＩ（臨時識別子）ではなく、１つの乱数である。また、呼出の原因は「緊急呼出」である。
【００１０】
図４は関連技術による緊急呼出のアタッチメントプロセスのフローチャートであり、以下のステップを含む。
【００１１】
ステップ４０１において、基地局が送信したシステムメッセージには１ビットを含み、現在セルが緊急呼出を支援する旨を放送する。放送には現在該基地局を共有するすべてのＰＬＭＮのＩＤを含み、即ち該基地局がＰＬＭＮ（Ｐｕｂｌｉｃ  Ｌａｎｄ  Ｍｏｂｉｌｅ−ｃｏｍｍｕｎｉｃａｔｉｏｎ  Ｎｅｔｗｏｒｋ，公衆陸上移動通信ネットワーク）に接続されるＰＬＭＮ  ＩＤリストであるが、実際には、緊急呼出を支援するＰＬＭＮもあり、緊急呼出を支援しないＰＬＭＮもある。
【００１２】
ステップ４０２において、制限サービス状態にあり、且つ緊急呼出開始を要求するＵＥは上記放送に応じて基地局にＲＲＣ接続確立要求メッセージを送信し、ここで、１つの乱数であるＵＥの識別子及び緊急である呼出開始の原因を含む。
【００１３】
ステップ４０３において、基地局がＵＥにＲＲＣ接続確立メッセージを送信する。
【００１４】
ステップ４０４において、ＵＥがステップ４０１で受信された放送メッセージに応じて、その中の１つのＰＬＭＮアクセスを選択し、基地局にＲＲＣ接続完成メッセージを送信し、ここで、アタッチメント要求であるＮＡＳメッセージを含む。このフローにおいて、実際には、ＵＥに選択されたＰＬＭＮは緊急呼出を支援しない。
【００１５】
ステップ４０５において、基地局が上記メッセージを受信した後、ＵＥに選択されたＰＬＭＮが緊急呼出を支援しないことが発見されるので、ＵＥに緊急呼出を支援しない１つのＰＬＭＮを選択し、且つ上記ＮＡＳメッセージ（アタッチメント要求）を上記緊急呼出を支援するＰＬＭＮのＭＭＥにルーティングする。
【００１６】
ステップ４０６において、ＭＭＥが認証/暗号キー方式プロセス（ＡＫＡ）をスタートさせ、ＵＥとＭＭＥとも各自のＫａｓｍｅ（ルートキー）を生成し、ここで、該ルートキーの生成がＰＬＭＮ  ＩＤと関係しているので、ＵＥとＭＭＥが生成したルートキーが異なっている。
【００１７】
ステップ４０７において、ＭＭＥがＵＥに安全モード命令（ＳＭＣ）メッセージを送信し、Ｋａｓｍｅが異なっているのでＳＭＣが失敗することにより、ＵＥのアタッチメントが失敗することになる。
【００１８】
緊急呼出サービスは、法律の強行規定により通信ネットワークが支援しなければならないサービスであるが、関連技術では、端末が緊急呼出を支援しないＰＬＭＮを選択した場合に、緊急呼出が失敗することにより、ネットワークが該サービスを支援できなくなる。
【発明の概要】
【００１９】
本発明の主な目的は発展型パケットシステム及びその緊急呼出のアタッチメント処理方法を提供し、少なくとも上記問題を解決することにある。
【００２０】
本発明の一方によると、発展型パケットシステムの緊急呼出のアタッチメント処理方法を提供し、ここで、基地局が、制限状態にある端末から受信された緊急呼出要求メッセージによって、緊急呼出を支援する公衆陸上移動通信ネットワーク（ＰＬＭＮ）から１つのＰＬＭＮを選択することと、基地局が、選択されたＰＬＭＮの情報を無線リソース制御（ＲＲＣ）接続確立メッセージを介して端末に送信することと、端末が、情報を用いて、選択されたＰＬＭＮとのアタッチメントを確立することと、を含む。
【００２１】
好ましくは、基地局が、選択されたＰＬＭＮの情報を無線リソース制御（ＲＲＣ）接続確立メッセージを介して端末に送信することは、基地局が選択されたＰＬＭＮのシステムメッセージにおける基地局に接続されたＰＬＭＮのＰＬＭＮ  ＩＤリスト中のインデックス番号をＲＲＣ接続確立メッセージを介して端末に送信することを含む。
【００２２】
好ましくは、端末が、情報を用いて選択されたＰＬＭＮとのアタッチメントを確立することは、端末が、受信されたＲＲＣ接続確立メッセージからインデックス番号を解析することと、端末が、インデックス番号をＰＬＭＮ  ＩＤに転換することと、端末が、基地局に非アクセスＮＡＳメッセージを載せたＲＲＣ接続完成メッセージを送信することと、基地局が、ＮＡＳメッセージを選択されたＰＬＭＮの移動性管理実体ＭＭＥに送信することと、端末が、選択されたＰＬＭＮのＰＬＭＮ  ＩＤを用いてルートキーを生成してから、その生成されたルートキーを用いてＭＭＥに対して認証・キー一致性検証を行なってアタッチメントを完成することとを含む。
【００２３】
本発明の一方によると、発展型パケットシステムの緊急呼出のアタッチメント処理方法を提供し、基地局が、制限状態にある端末から受信された緊急呼出要求メッセージによって、緊急呼出を支援するＰＬＭＮの情報をＲＲＣ接続確立メッセージを介して端末に送信することと、端末が、情報に応じて前記緊急呼出を支援するＰＬＭＮから１つのＰＬＭＮを選択することと、端末が、選択されたＰＬＭＮとのアタッチメントを確立することと、を含む。
【００２４】
好ましくは、基地局が制限状態にある端末から受信された緊急呼出要求メッセージによって、緊急呼出を支援するＰＬＭＮの情報をＲＲＣ接続確立メッセージを介して端末に送信することは、基地局が緊急呼出を支援するＰＬＭＮのインデックス番号をＲＲＣ接続確立メッセージを介して端末に送信することを含む。
【００２５】
好ましくは、端末が情報に応じて緊急呼出を支援するＰＬＭＮから１つのＰＬＭＮを選択することは、端末が受信されたＲＲＣ接続確立メッセージからインデックス番号を解析することと、端末がインデックス番号をＰＬＭＮ  ＩＤに転換することと、端末が転換して得られたＰＬＭＮ  ＩＤに標識されたＰＬＭＮから１つのＰＬＭＮを選択することを含む。
【００２６】
好ましくは、端末が情報を用いて選択されたＰＬＭＮとのアタッチメント確立することは、端末が、選択されたＰＬＭＮの情報を（ＮＡＳメッセージを載せた）ＲＲＣ接続完成メッセージを介して基地局に送信することと、基地局が、ＮＡＳメッセージを選択されたＰＬＭＮのＭＭＥに送信することと、端末が、選択されたＰＬＭＮのＰＬＭＮ  ＩＤを用いてルートキーを生成してから、その生成されたルートキーを用いてＭＭＥに対して認証・キー一致性検証を行なってアタッチメントを完成することとを含む。
【００２７】
本発明の他方によると、発展型パケットシステムを提供し、制限状態にある端末から受信された緊急呼出要求メッセージによって、緊急呼出を支援する公衆陸上移動通信ネットワークＰＬＭＮから１つのＰＬＭＮを選択し、且つその選択されたＰＬＭＮの情報を無線リソース制御ＲＲＣ接続確立メッセージを介して前記端末に送信することに用いる基地局と、情報を用いて、選択されたＰＬＭＮとのアタッチメント確立することに用いる前記端末とを含む。
【００２８】
好ましくは、基地局は、選択されたＰＬＭＮのシステムメッセージにおける基地局に接続されたＰＬＭＮのＰＬＭＮ  ＩＤ中のインデックス番号をＲＲＣ接続確立メッセージを介して端末に送信し、且つ、端末からのＲＲＣ接続完成メッセージにおけるＮＡＳメッセージを選択されたＰＬＭＮの移動性管理実体ＭＭＥに送信することに用いる第１の送信モジュールを含み、端末は、受信されたＲＲＣ接続確立メッセージからインデックス番号を解析してインデックス番号をＰＬＭＮ  ＩＤに転換するための解析モジュールと、基地局に非アクセスＮＡＳメッセージを載せたＲＲＣ接続完成メッセージを送信するための第２の送信モジュールと、選択されたＰＬＭＮのＰＬＭＮ  ＩＤを用いてルートキーを生成して、その生成されたルートキーを用いてＭＭＥに対して認証・キー一致性検証を行なってアタッチメントを完成するための実行モジュールとを含む。
【００２９】
本発明の他方によると、発展型パケットシステムを提供し、制限状態にある端末から受信された緊急呼出要求メッセージによって、緊急呼出を支援するＰＬＭＮの情報をＲＲＣ接続確立メッセージを介して端末に送信することに用いる基地局と、情報に応じて緊急呼出を支援するＰＬＭＮから１つのＰＬＭＮを選択し、且つ選択されたＰＬＭＮとのアタッチメント確立することに用いる端末とを含む。
【００３０】
好ましくは、基地局は、緊急呼出を支援するＰＬＭＮのインデックス番号をＲＲＣ接続確立メッセージを介して端末に送信し、且つ端末からのＲＲＣ接続完成メッセージにおけるＮＡＳメッセージを端末が選択したＲＲＣ接続完成メッセージにおけるＰＬＭＮのＭＭＥに送信することに用いる第１の送信モジュールを含み、端末は、受信されたＲＲＣ接続確立メッセージからインデックス番号を解析し、且つインデックス番号をＰＬＭＮ  ＩＤに転換するための解析モジュールと、転換して得られたＰＬＭＮ  ＩＤに標識されたＰＬＭＮから１つのＰＬＭＮを選択するための選択モジュールと、選択されたＰＬＭＮのＰＬＭＮ  ＩＤを（ＮＡＳメッセージがのせられた）ＲＲＣ接続完成メッセージを介して基地局に送信するための第２の送信モジュールと、選択されたＰＬＭＮのＰＬＭＮ  ＩＤを用いてルートキーを生成して、その生成されたルートキーを用いてＭＭＥに対して認証・キー一致性検証を行なってアタッチメントを完成するための実行モジュールとを含む。
【００３１】
本発明によると、基地局がサービスが制限された端末の緊急呼出要求を受信した後、緊急呼出を支援するＰＬＭＮから１つのＰＬＭＮを選択して端末に通知することにより、端末が緊急呼出を支援しないＰＬＭＮを選択した場合に、緊急呼出が失敗してネットワークが緊急呼出サービスを支援することができなくなる関連技術における問題を解決し、これにより、ＵＥがアタッチメント選択するＰＬＭＮが緊急呼出を支援して確保し、ＡＫＡフローでは、端末とＭＭＥが生成したルートキーの一致性を確保することにより、緊急呼出の成功を保証できる。
【図面の簡単な説明】
【００３２】
ここで説明する図面は、本発明をよりよく理解するために提供するもので、本願の一部となり、本発明の模式的実施例及びその説明は、本発明を説明することに用いられ、本発明を不当に限定するものではない。中には、
【図１】関連技術によるＥＰＳアクセスＩＭＳの構造図である。
【図２】関連技術によるアクセス層と非アクセス層の模式図である。
【図３】関連技術による端末と基地局／移動性管理実体のインタラクション模式図である。
【図４】関連技術による緊急呼出のアタッチメントプロセスのフローチャートである。
【図５】本発明の１つの実施例による発展型パケットシステムの緊急呼出のアタッチメント処理方法のフローチャートである。
【図６】本発明のもう１つの実施例による発展型パケットシステムの緊急呼出のアタッチメント処理方法のフローチャートである。
【図７】本発明の好適な実施例１による緊急呼出のアタッチメント処理方法のフローチャートである。
【図８】本発明の好適な実施例２による緊急呼出のアタッチメント処理方法のフローチャートである。
【図９】本発明の１つの実施例による発展型パケットシステムの模式図である。
【図１０】本発明のもう１つの実施例による発展型パケットシステムの模式図である。
【発明を実施するための形態】
【００３３】
以下、図面と実施例を参照しながら、本発明を詳しく説明する。特に説明するのは、対立してない場合に、本案における実施例及び実施例における特徴を相互に組み合ってもよい。
【００３４】
図５は、本発明の１つの実施例による発展型パケットシステムの緊急呼出のアタッチメント処理方法のフローチャートであり、以下のステップを含む。
【００３５】
ステップＳ５０２において、基地局が制限状態にある端末から受信された緊急呼出要求メッセージによって、緊急呼出を支援するＰＬＭＮから１つのＰＬＭＮを選択する。
【００３６】
ステップＳ５０４において、基地局が、選択されたＰＬＭＮの情報をＲＲＣ接続確立メッセージを介して端末に送信する。
【００３７】
ステップＳ５０６において、端末が該情報を用いて（即ち選択されたＰＬＭＮの情報）選択されたＰＬＭＮとのアタッチメントを確立する。
【００３８】
該実施例によると、基地局は、サービスが制限された端末の緊急呼出要求を受信した後、緊急呼出を支援するＰＬＭＮから１つのＰＬＭＮを選択して端末に通知するので、端末が緊急呼出を支援しないＰＬＭＮを選択した場合に、緊急呼出が失敗してネットワークが緊急呼出サービスを支援することができなくなる関連技術における問題を解決する。該実施例によると、ＵＥがアタッチメントの確立されたＰＬＭＮを選択して緊急呼出を支援することを確保でき、ＡＫＡフローでは、端末とＭＭＥが生成したルートキーの一致性を確保することにより、緊急呼出の成功を保証できる。
【００３９】
好ましくは、ステップＳ５０４は、基地局が、選択されたＰＬＭＮのシステムメッセージおけるＰＬＭＮ  ＩＤリスト中のインデックス番号をＲＲＣ接続確立メッセージを介して端末に送信することを含み、ここで、該ＰＬＭＮ  ＩＤリストは、基地局に接続されたすべてのＰＬＭＮのＰＬＭＮ  ＩＤから構成されるリストである。即ち、選択されたＰＬＭＮの情報は、該選択されたＰＬＭＮがシステムメッセージおけるＰＬＭＮ  ＩＤリスト中のインデックス番号であり、ここで、該ＰＬＭＮ  ＩＤリストが基地局に接続されたすべてのＰＬＭＮのＰＬＭＮ  ＩＤリストである。
【００４０】
ステップＳ５０６は、端末が受信されたＲＲＣ接続確立メッセージから選択されたＰＬＭＮのインデックス番号を解析することと、端末が該インデックス番号をＰＬＭＮ  ＩＤに転換することと、端末が基地局にＮＡＳメッセージが載せられたＲＲＣ接続完成メッセージを送信することと、基地局がＮＡＳメッセージを選択されたＰＬＭＮのＭＭＥに送信することと、端末が選択されたＰＬＭＮのＰＬＭＮ  ＩＤを用いてルートキーを生成してから、その生成されたルートキーを用いて該ＭＭＥに対して認証・キー一致性検証を行なってアタッチメントを完成することとを含む。
【００４１】
上記好適な実施例によると、緊急呼出のアタッチメント処理方法の１種の具体的な技術案を提供した。基地局は、端末からスタートされた緊急呼出要求を受信した後、制限状態にある緊急呼出を支援する１つのＰＬＭＮを選択してから、その選択されたＰＬＭＮ識別子情報をＲＲＣ接続確立メッセージを介して該端末に通知し、端末が該ＰＬＭＮ識別子情報に応じて、非アクセス層キーの算出を完成し、且つ最終に端末のアタッチメントを完成する。
【００４２】
図６は、本発明のもう１つの実施例による発展型パケットシステムの緊急呼出のアタッチメント処理方法のフローチャートであり、以下のステップを含む。
【００４３】
ステップＳ６０２において、基地局は、制限状態にある端末から受信された緊急呼出要求メッセージによって、緊急呼出を支援するＰＬＭＮの情報をＲＲＣ接続確立メッセージを介して端末に送信する。
【００４４】
ステップＳ６０４において、端末が該情報に応じて緊急呼出を支援するＰＬＭＮから１つのＰＬＭＮを選択する。
【００４５】
ステップＳ６０６において、端末が選択されたＰＬＭＮとのアタッチメントを確立する。
【００４６】
該実施例によると、基地局は、サービスが制限された端末の緊急呼出要求を受信した後、緊急呼出を支援するすべてのＰＬＭＮの情報を端末に送信し、端末がその中から１つのＰＬＭＮを選択してアタッチメントを行うので、端末が緊急呼出を支援しないＰＬＭＮを選択した場合に、緊急呼出が失敗してネットワークが緊急呼出サービスを支援することができなくなる関連技術における問題を解決する。該実施例によると、ＵＥがアタッチメントの確立されたＰＬＭＮを選択して緊急呼出を支援することを確保し、ＡＫＡフローでは、端末とＭＭＥが生成したルートキーとの一致性を確保することにより、緊急呼出の成功を確保できる。
【００４７】
好ましくは、ステップＳ６０２は、基地局は、緊急呼出を支援するＰＬＭＮのインデックス番号をＲＲＣ接続確立メッセージを介して端末に送信する。即ち、緊急呼出を支援するＰＬＭＮの情報は、すべての緊急呼出を支援するＰＬＭＮのインデックス番号である。
【００４８】
ステップＳ６０４は、端末が受信されたＲＲＣ接続確立メッセージから緊急呼出を支援するＰＬＭＮのインデックス番号を解析することと、端末が緊急呼出を支援するＰＬＭＮのインデックス番号をＰＬＭＮ  ＩＤに転換することと、端末が転換により得られたＰＬＭＮＩＤに標識されたＰＬＭＮから１つのＰＬＭＮを選択することとを含む。
【００４９】
ステップＳ６０６は、端末が選択されたＰＬＭＮのＰＬＭＮ  ＩＤをＮＡＳメッセージが載せられたＲＲＣ接続完成メッセージを介して基地局に送信することと、基地局が該ＮＡＳメッセージを選択されたＰＬＭＮのＭＭＥに送信することと、端末が選択されたＰＬＭＮ  ＩＤにより生成されたルートキーを用いてＭＭＥに対して認証・キー一致性検証を行なってアタッチメントを完成することとを含む。
【００５０】
上記好適な実施例によると、緊急呼出のアタッチメント処理方法のもう１種の具体的な技術案を提供した。基地局が端末によりスタートされた緊急呼出要求を受信した後、制限状態にある緊急呼出を支援するすべてのＰＬＭＮの情報をＲＲＣシグナルを介して端末に通知し、端末が基地局から提供されたＰＬＭＮリストから１つのＰＬＭＮを選択して緊急サービスを行ってから、非アクセス層キーの算出を完成し、且つ最終に端末のアタッチメントを完成する。
【００５１】
本発明では、端末とＭＭＥとの間の非アクセス層の安全プロトコルフローも基地局にとっては透明である。
【００５２】
＜好適な実施例１＞
図７に示すように、該好適な実施例１では、基地局が複数のＰＬＭＮに共有され、ここで、少なくとも１つのＰＬＭＮが緊急サービスを支援する。ユーザ端末ＵＥが制限サービス状態にあり、即ち、ネットワークに提供される正常なサービスを享受できなく、ネットワークに提供される緊急呼出サービスのみを獲得できる。
【００５３】
ステップ７０１において、基地局が送信するシステムメッセージには１ビットを含み、現在セルが緊急呼出を支援する旨を放送し、放送には現在該基地局を共有するすべてのＰＬＭＮのＩＤ、即ち該基地局に接続されたＰＬＭＮのＰＬＭＮ  ＩＤリストも含む。
【００５４】
ステップ７０２において、制限サービス状態にあり、且つ緊急呼出スタートを必要とするＵＥは上記放送に応じて基地局にＲＲＣ接続確立要求メッセージを送信し、ここで、１つの乱数であるＵＥの識別子、及び、呼出をスタートさせる原因を含み、ここで、該原因が緊急である。
【００５５】
ステップ７０３において、基地局が受信されたＲＲＣ接続要求に応じて、ステップ７０２で受信されたユーザ身分が乱数であること及び緊急原因により、緊急呼出をスタートさせる端末が制限サービス状態にあることを判定できる。このセルにはネットワーク共有が存在するので、基地局が緊急呼出を支援する１つのＰＬＭＮを選択する。そして基地局が選択されたＰＬＭＮのシステムメッセージＰＬＭＮリストにおけるインデックス番号をＲＲＣ接続確立メッセージを介して端末に送信する。
【００５６】
ステップ７０４において、端末のアクセス層がＰＬＭＮのインデックス番号をＲＲＣ接続要求メッセージから抽出してから、ＰＬＭＮ識別子に転換し、且つ、このＰＬＭＮ識別子を非アクセス層に通知する。ＲＲＣ接続完成メッセージを送信し、ここで、アタッチメント要求であるＮＡＳメッセージを含む。
【００５７】
ステップ７０５において、基地局がユーザの要求に応じて、上記ＮＡＳメッセージをＳ１インターフェースメッセージを介してＵＥに選択された緊急呼出を支援するＰＬＭＮのＭＭＥに送信する。
【００５８】
ステップ７０６において、後続の非アクセス層のＡＫＡフローでは、端末が認証成功した後、非アクセス層のキーＫａｓｍｅを算出して取得する。ＭＭＥと端末がＰＬＭＮを選択する際に一致するので、ＭＭＥが生成したＫａｓｍｅと端末とは一致している。これにより、後続の非アクセス層とアクセス層の安全フローの正常動作、及び端末とネットワークとの間のセションの安全性を保証する。ＵＥアタッチメントフローを完成する。
【００５９】
＜好適な実施例２＞
該好適な実施例２によると、図８に示すように、基地局が複数のＰＬＭＮに共有され、ここで、少なくとも１つのＰＬＭＮが緊急サービスを支援する。ユーザ端末ＵＥが制限サービス状態にあり、即ちネットワークに提供される正常なサービスを享受できなく、ネットワークに提供される緊急呼出サービスのみを獲得できる。
【００６０】
ステップ８０１において、基地局に送信されたシステムメッセージには１ビットを含み、現在セルが緊急呼出を支援する旨を放送し、放送にはすべての現在該基地局を共有し、即ち該基地局に接続されたＰＬＭＮのＰＬＭＮ  ＩＤリストを含む。
【００６１】
ステップ８０２において、制限サービス状態にあり、且つ緊急呼出スタートを必要とするＵＥは上記放送に応じて基地局にＲＲＣ接続確立要求メッセージを送信し、ここで、１つの乱数であるＵＥの識別子、及び、呼出を開始させる原因が含まれ、該原因が緊急である。
【００６２】
ステップ８０３において、基地局が受信されたＲＲＣ接続要求に応じて、ステップ８０２で受信されたユーザ身分が乱数であること及び緊急原因によって、緊急呼出をスタートさせる端末が制限サービス状態にあることを判定できる。このセルにはネットワーク共有が存在するので、基地局が、緊急呼出を支援するＰＬＭＮインデックス番号であるＰＬＭＮリスト情報を端末に送信するＲＲＣ接続確立メッセージを介して端末に送信する。
【００６３】
ステップ８０４において、端末のアクセス層がＰＬＭＮのインデックス番号をＲＲＣ接続要求メッセージから抽出してから、ＰＬＭＮ識別子に転換し、且つＰＬＭＮ識別子を非アクセス層に通知する。端末のアクセス層はこのリスト情報に応じて、選択されたＰＬＭＮを決定する。端末が選択されたＰＬＭＮ情報を基地局に送信するＲＲＣ接続完成メッセージを介して基地局に送信し、同時に、該メッセージには端末が最初にＭＭＥに送信したＮＡＳメッセージが含まれる。
【００６４】
ステップ８０５において、基地局がメッセージを受信した後、該ＮＡＳメッセージを端末に選択されたＰＬＭＮのＭＭＥにルーティングする。
【００６５】
ステップ８０６において、後続の非アクセス層のＡＫＡフローでは、端末が認証成功した後、非アクセス層のキーＫａｓｍｅを算出して取得する。ＭＭＥと端末がＰＬＭＮを選択する際に一致するので、ＭＭＥが生成したＫａｓｍｅと端末とは一致している。これにより、後続の非アクセス層とアクセス層の安全フローの正常動作、及び端末とネットワークとの間のセションの安全性を保証する。ＵＥアタッチメントフローを完成する。
【００６６】
図９は、本発明の１つの実施例による発展型パケットシステムの模式図であり、制限状態にある端末２０から受信された緊急呼出要求メッセージによって、緊急呼出を支援する公衆陸上移動通信ネットワークＰＬＭＮから１つのＰＬＭＮを選択し、且つ選択されたＰＬＭＮの情報を無線リソース制御ＲＲＣ接続確立メッセージを介して端末２０に送信することに用いる基地局１０と、情報を用いて選択されたＰＬＭＮとのアタッチメントを確立することに用いる端末２０とを含む。
【００６７】
好ましくは、基地局１０は、選択されたＰＬＭＮのシステムメッセージにおけるＰＬＭＮ  ＩＤリスト（該ＰＬＭＮ  ＩＤリストが基地局に接続されたすべてのＰＬＭＮのＰＬＭＮ  ＩＤから構成されるリストである）中のインデックス番号をＲＲＣ接続確立メッセージを介して端末２０に送信することに用い、更に、端末２０からのＲＲＣ接続完成メッセージにおけるＮＡＳメッセージを選択されたＰＬＭＮの移動性管理実体ＭＭＥに送信することに用いる第１の送信モジュール１０１を含み、端末２０は、受信されたＲＲＣ接続確立メッセージからインデックス番号を解析してインデックス番号をＰＬＭＮ  ＩＤに転換するための解析モジュール２０１と、基地局１０にＮＡＳメッセージが載せられたＲＲＣ接続完成メッセージを送信するための第２の送信モジュール２０２と、選択されたＰＬＭＮのＰＬＭＮ  ＩＤを用いてルートキーを生成してから、その生成されたルートキーを用いてＭＭＥに対して認証・キー一致性検証を行なってアタッチメントを完成するための実行モジュール２０３とを含む。
【００６８】
図１０は、本発明のもう１つの実施例による発展型パケットシステムの模式図であり、制限状態にある端末から受信された緊急呼出要求メッセージによって、緊急呼出を支援するＰＬＭＮの情報をＲＲＣ接続確立メッセージを介して端末に送信することに用いる基地局１０と、情報に応じて緊急呼出を支援するＰＬＭＮから１つのＰＬＭＮを選択し、且つ選択されたＰＬＭＮとのアタッチメントを確立することに用いる端末２０とを含む。
【００６９】
好ましくは、基地局１０は、緊急呼出を支援するＰＬＭＮのインデックス番号をＲＲＣ接続確立メッセージを介して端末２０に送信し、且つ端末２０からのＲＲＣ接続完成メッセージにおけるＮＡＳメッセージを端末に選択されたＲＲＣ接続完成メッセージにおけるＰＬＭＮのＭＭＥに送信することに用いる第１の送信モジュール１０１を含み、端末２０は、受信されたＲＲＣ接続確立メッセージからインデックス番号を解析してインデックス番号をＰＬＭＮ  ＩＤに転換するための解析モジュール２０１と、転換して得られたＰＬＭＮ  ＩＤに標識されたＰＬＭＮから１つのＰＬＭＮを選択するための選択モジュール２０４と、選択されたＰＬＭＮの情報を（ＮＡＳメッセージを載せた）ＲＲＣ接続完成メッセージを介して基地局に送信するための第２の送信モジュール２０２と、選択されたＰＬＭＮのＰＬＭＮ  ＩＤを用いてルートキーを生成してから、その生成されたルートキーを用いてＭＭＥに対して認証・キー一致性検証を行なってアタッチメントを完成するための実行モジュール２０３とを含む。
【００７０】
以上の記載によって分かるように、本発明は、以下の技術効果を実現した。
（１）ＵＥがアタッチメントのＰＬＭＮを選択して緊急呼出を支援することを確保でき、
ＡＫＡフローでは、端末とＭＭＥが生成したルートキーとの一致性を確保することにより
、緊急呼出の成功を保証する。
（２）ＭＭＥと端末がＰＬＭＮを選択する際に一致するので、ＭＭＥが生成したＫａｓｍ
ｅと端末が一致している。これにより、後続の非アクセス層とアクセス層の安全フローの
正常動作、及び端末とネットワークとの間のセションの安全性を保証する。
【００７１】
当業者にとって、上述の本発明の各モジュール又は各ステップは共通の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、また、ある場合には、示された或は述べられたステップがここでのと違う順で実行されてもよく、又はそれらの個々をそれぞれ集積回路ブロックとして製作し、又はそれらにおける複数のモジュール又はステップを単独の集積回路モジュールとして製作して実現することができることは明らかなことである。このように、本発明は、如何なる指定のハードウェアとソフトウェアの結合に限定されないものではない。
【００７２】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005588017.tif 000002
【図２】
0005588017.tif 000003
【図３】
0005588017.tif 000004
【図４】
0005588017.tif 000005
【図５】
0005588017.tif 000006
【図６】
0005588017.tif 000007
【図７】
0005588017.tif 000008
【図８】
0005588017.tif 000009
【図９】
0005588017.tif 000010
【図１０】
0005588017.tif 000011